(57)【特許請求の範囲】
【請求項１】
相手コネクタと接触する接触部とブロックに固定される固定部と基板にプレスインされる接続部とから構成されるコンタクトが所要数固定されるコンタクト体と、このコンタクト体を連結する連結体と、前記コンタクト体が固定されるブロックとから構成されるコネクタの取外し工具において、
前記コネクタが装着される嵌入溝を有すると共にこの嵌入溝の反対側に押圧ネジと螺着する雌ネジ部を設け、前記嵌入溝内に突出可能に所要数のネジを装着したコネクタ取付部材と、このコネクタ取付部材の雌ネジ部と螺着すると共に前記嵌入溝内に突出可能に装着した押圧ネジと、２枚の側壁部材とこの２枚の側壁部材が固定されると共に前記押圧ネジが装着された本体部材とから構成され、この本体部材と２枚の前記側壁部材により前記コネクタ取付部材が嵌合する挿入空間を設けた部材とからなり、
前記コネクタ取付部材に装着したネジの押圧面Ａでコネクタの面Ａを押圧することでコネクタをコネクタ取付部材に取付けると共にコネクタが取付けられた状態のコネクタ取付部材を前記部材の挿入空間に装着し、前記押圧ネジをコネクタ取付部材に螺着させ、押圧ネジの押圧面でコネクタの面Ｂを押圧することにより基板からコネクタを取り外すことを特徴とするコネクタ取外し工具。
【請求項２】
前記コネクタ取付部材の嵌入溝内で、前記ネジ突出側と反対側に少なくとも１個以上の突起部を設けたことを特徴とする請求項１記載のコネクタ取外し工具。
【請求項３】
前記側壁部材は前記本体部材にコネクタの芯数に対応可能に固定できるようにしたことを特徴とする請求項１記載のコネクタ取外し工具。
【請求項４】
前記押圧ネジには支点を基点にして略１８０度回動可能な支柱を取付けたことを特徴とする請求項１記載のコネクタ取外し工具。
【請求項５】
コネクタの配列によって前記側壁部材の凸部の下に挿入駒を装着することを特徴とする請求項１記載のコネクタ取外し工具。
【請求項６】
前記本体部材の一方の側面側に持ち手を付けたことを特徴とする請求項１記載のコネクタ取外し工具。
【発明の詳細な説明】
【０００１】
【発明の属する技術分野】
本発明は、電気機器内や電子機器内の回路基板に取り付けられるコネクタ取外し工具に関するものである。
【０００２】
【従来の技術】
図４に基づいて、コネクタの構造について説明する。
コネクタ６０は、主にブロック６２とコンタクト体６６と連結具６８より構成されている。前記コンタクト体６６には所要数のコンタクト６４が固定され、前記連結体はこれらのコンタクト体６６を一体に連結するものである。
前記コンタクト体６６は、プラスチック製の絶縁体と金属製のコンタクト６４とからなっている。このコンタクト６４は絶縁体に圧入や一体成形等により固定されている。
このコンタクト６４は公知技術のプレス加工等で製作されており、基板８０に接続する接続部と前記絶縁体に固定される固定部と相手コネクタのコンタクトと接触する接触部との３部分から構成されている。
前記絶縁体は電気絶縁性のプラスチックであり、公知技術の射出成形等で製作されている。
前記連結具６８も電気絶縁性のプラスチックであり、公知技術の射出成形等で製作されている。この連結具６８には、所要数の前記コンタクト体６６の突起が連結具６８の引っかかり部に嵌入されることで保持・固定されている。この連結具６８の役割は、前記コンタクト体６６を位置ズレなく固定することやブロック６２に一括して挿入するためのものである。
【０００３】
前記ブロック６２について説明する。このブロック６２も電気絶縁性のプラスチックであり、公知技術の射出成形等で製作されている。このブロック６２には厚み方向の一端側に所要数の前記コンタクト体６６が挿入される挿入孔（図示せず）が設けられ、この挿入孔にコンタクト体６６は圧入されている。もう一端側には相手コネクタのコンタクト６４が挿入される嵌合口が設けられている。場合によっては誤挿入防止の為に、この嵌合口側には長さ方向のほぼ中央部に誤挿入防止溝が設けられることもあり、この誤挿入防止溝に相手コネクタに設置されたキー（図示せず）が嵌入することで、相手コネクタとコネクタ６０の誤嵌合を防止している。
【０００４】
前記ブロック６２の嵌合口側で幅方向両側には、係合部が設けられている。シールド板が装着される場合には、前記係合部の一方側には前記シールド板Ａの係止片が嵌入され、もう一方側には前記シールド板Ｂの係止片が嵌入される。このようにそろぞれのシールド板が係合部に嵌入されることでシールド板がブロック６２から浮かないようにしている。
また、前記ブロック６２のコンタクト６４が挿入される側で幅方向両側には所定のピッチ毎に複数個の凸部が設けられている。この凸部には、シールド板Ａの溝部とシールド板Ｂの溝部が挿入される。このようにブロック６２の凸部がそれぞれのシールド板の溝部に挿入されることで幅方向と厚み方向の位置決めを行っている。
【０００５】
２枚のシールド板が用いられることがあるので、２枚のシールド板についても触れておく。まず、シールド板Ａについて説明する。このシールド板Ａは略Ｌ字形状をしており、一方の自由端側には前記ブロック６２の係合部に嵌め込まれる係止片が設けられている。もう一方の自由端側には基板（図示せず）にプレスインされる所要数の端子が突出している。この端子間のほぼ中央にはシールド板Ｂの端子が入る切欠部が配置されている。この切欠部はシールド板Ｂとの位置合わせのためのものである。
前記係合部側には、相手コネクタの幅方向外側のコンタクトと接触させてグランドさせる接触片が設けられている。この接触片は相手コネクタのコンタクトと接触できるように外側方向に湾曲しており、一端は自由端になっており、溝に囲まれている。
また、前記接触片付近には、ブロック６２の凸部が嵌入できる位置に溝部が設けられており、大きさは凸部が入る大きさに適宜設計されている。
【０００６】
最後に、シールド板Ｂ（図示せず）について説明する。このシールド板Ｂもシールド板Ａ同様に略Ｌ字形状をしており、一方の自由端側には前記ブロック６２の係合部に嵌め込まれる係止片が設けられている。もう一方の自由端側には基板７２にプレスインされる所要数の端子が突出している。
この端子は、基板にプレスインされた後にシールド板Ａの切欠部がに入り、シールド板Ａとシールド板Ｂとの位置合わせになる。
前記係合部側には、相手コネクタの幅方向外側のコンタクトと接触させてグランドさせる接触片が設けられている。この接触片は相手コネクタのコンタクトと接触できるように外側方向に湾曲しており、いったんは自由端になっており、溝に囲まれている。
また、前記接触片付近には、ブロック６２の凸部が嵌入できる位置に溝部が設けられており、大きさは凸部が入る大きさに適宜設計されている。
【０００７】
【発明が解決しようとする課題】
上述したコネクタ６０は、一般的に電子機器内の基板８０に取付けられている。挿抜時・基板取付け時の破損や基板へのコネクタ誤挿入時には、該コネクタ６０を基板８０より取り外す必要が生じていた。
しかしながら、上述したような構造のコネクタ６０では、一度取付けると、コネクタ６０装着側の反対側よりコンタクト６４を１本ずつ治具等を用いて、基板８０より抜かなくてはならず、大変手間が掛かり、コネクタ６０を取外し難いといった解決すべき課題があった。このような取外し方では、１２０秒程度掛かっていた。
また、上述した治具にはエアプレスやハンドプレスといった動力源が必要であり、設備的に大袈裟なものになり、コストが掛かってしまっていたことや基板８０の厚さによっては治具としてピンを用いてピンを基板８０の挿入孔内に入る構造にする必要が生じ、基板８０の挿入孔を傷つけてしまい、再度コネクタ６０を圧入できないといった問題点もあった。
なお、コネクタ６０をペンチ等で無理に取り外すと、基板８０に負荷（ストレス）が掛かり、基板８０が破損してしまうといった問題点もあった。基板８０が破損すると、基板８０を交換する必要が生じ、コストアップにも繋がってしまう。
【０００８】
本発明は、基板を破損することなく、簡単にコネクタ６０を取り外すことの出来るコネクタ取外し工具１を提供することを目的としている。
【０００９】
【課題を解決するための手段】
本発明の目的は、相手コネクタと接触する接触部とブロック６２に固定される固定部と基板８０にプレスインされる接続部とから構成されるコンタクト６４が所要数固定されるコンタクト体６６と、このコンタクト体６６を連結する連結具６８と、前記コンタクト体６８が固定されるブロック６２とから構成されるコネクタの取外し工具１において、前記コネクタ６０が装着される嵌入溝４６を有すると共にこの嵌入溝４６の反対側に押圧ネジ２０と螺着する雌ネジ部４２を設け、前記嵌入溝４６内に突出可能に所要数のネジ４４を装着したコネクタ取付部材４０と、このコネクタ取付部材４０の雌ネジ部４２と螺着すると共に前記嵌入溝４６内に突出可能に装着した押圧ネジ２０と、２枚の側壁部材１４とこの２枚の側壁部材１４が固定されると共に前記押圧ネジ２０が装着された本体部材１２とから構成され、この本体部材１２と２枚の前記側壁部材１４により前記コネクタ取付部材４０が嵌合する挿入空間３２を設けた部材１０とからなり、前記コネクタ取付部材４０に装着したネジ４４の押圧面Ａ５０でコネクタ６０の面Ａ７０を押圧することでコネクタ６０をコネクタ取付部材４０に取付けると共にコネクタ６０が取付けられた状態のコネクタ取付部材４０を前記部材１０の挿入空間３２に装着し、前記押圧ネジ２０をコネクタ取付部材４０に螺着させ、押圧ネジ２０の押圧面２２でコネクタ６０の面Ｂ７２を押圧することにより基板８０からコネクタ６０を取り外せることにより達成できる。
【００１０】
前記コネクタ取付部材４０の嵌入溝４６内で、前記ネジ突出側と反対側に少なくとも１個以上の突起部４８を設けた方がよい。該突起部４８を設けることで、コネクタ６０のコンタクト体６６と連結具６８に確実に食込むようになる。前記側壁部材１４は前記本体部材１２にコネクタ６０の芯数に対応可能に固定できるようにする。このような構造にすることで、１つの工具で芯数違いのコネクタ６０に対応できるようになる。前記押圧ネジ２０には支点２６を基点にして略１８０度回動可能な支柱２８を取付けた方が良い。このような支柱２８を取付けることで、簡単に押圧ネジ２０を締め込むことができるようになる。コネクタ６０の配列によって前記側壁部材１４の凸部３０の下に挿入駒を装着した方がよい。コネクタ６０の配列によっては、側壁部材１４と基板８０との間に隙間ができ、安定性が欠けるので、挿入駒を入れるようにする。前記本体部材１２の一方の側面側に持ち手を付けた方がよい。持ち手を設けることで、支柱２８を回し、押圧ネジ２０を締め込む際にコネクタ取外し工具１自体が回らないように抑えられる。
【００１１】
【作用】
前記コネクタ取付部材４０に装着したネジ４４を締めることで、このネジ４４の押圧面Ａ５０と前記突起部４８とでコネクタ６０を挟み込むことにより、コネクタ６０を挟持することができる。
また、押圧ネジ２０を締めることで、前記コネクタ取付部材４０は図１のように矢印「イ」方向に引き上げられることになると共にある段階で押圧ネジ２０はコネクタ取付部材４０の嵌入溝４６内に突出し、押圧面２２でコネクタ６０の面Ｂ７２を押圧することになる。このようにコネクタ６０が押圧されると、部材１０の側壁部材１４又は挿入駒は基板８０又はコネクタ６０の面Ｂ７２に接しているので、コネクタ６０は押圧されてはいるが、矢印「イ」方向に引き上げられることになり、結局のところ基板８０よりコンタクト６４が抜けるような状態になる。
【００１２】
【発明の実施の形態】
図に基づいて、本発明のコネクタ取外し工具について説明する。
図１は本発明のコネクタ取外し工具の斜視図であり、図２は基板に取付けた状態のコネクタとコネクタ取付部材と部材の斜視図である。図３は、コネクタ取付け部材を図２の反対側から見た斜視図である。
本発明のコネクタ取外し工具１は、主に、本体部材１２と側壁部材１４から構成される部材とコネクタ取付部材４０と押圧ネジ２０とからなっている。該コネクタ取外し工具１の大きさは、コネクタ６０の最大芯数に対応できるように長さが９５ｍｍ程度で、幅が５０〜６０ｍｍ程度で、高さが６５〜８５ｍｍ程度である。
以下、それぞれの構成部品について説明する。以下で説明する構成部品は金属製であり、強度や加工性等を考慮して、鋼やステンレス（ＳＵＳ）等が一般的に使用されることが多いが、下記の説明する役割を満足すればこれらに限るものでもない。
【００１３】
まず、コネクタ取付部材４０について説明する。該コネクタ取付部材は図２及び図３のように略コ字形状をしており、基板８０に固定されたコネクタ６０に装着されるものであり、コネクタ６０が装着される嵌入溝４６が設けられている。このコネクタ取付部材４０の上面側には、後述する押圧ネジ２０と螺着する雌ネジ部４２が嵌入溝４６内に貫通するように設けられている。
また、側壁部の一方には、複数のネジ４４が前記嵌入溝４６内に突出できるように螺着されており、ネジ４４の数量はコネクタ６０の大きさによって適宜設計している。もう一方の側壁部で、嵌入溝４６側には少なくとも１個以上の突起部４８を設けた方がよい。平らな面よりは、確実にコネクタ６０のコンタクト体６６と連結具６８に食込むことができる。
なお、コネクタ６０を装着した際の安定性を考えると、ネジ４４を螺着した側壁部側で、嵌入溝４６側に突出部（図示せず）を設けてもよい。突出部を設けた場合には、コネクタ６０の装着性を考慮して、コネクタ取付部材４０を分割し仮固定しておき、コネクタ６０装着後に固定できる構造が望ましい。
前記突起部４８や前記突出部を設けた場合には、該コネクタ取付部材は一体構造ではなく、分割構造にしておいた方がよい。
本コネクタ取付部材４０の大きさは、長さ５０ｍｍ程度とコネクタ６０の長さ寸法とほぼ同寸法にしており、即ち、コネクタ６０の芯数によって適宜設計している。
【００１４】
次に、部材１０について説明する。該部材１０は、図２のように、略Ｌ字形状をした本体部材１２と略Ｌ字形状をした２枚の側壁部材１４とから構成されている。これらの本体部材１２と２枚の側壁部材１４とにより、前記コネクタ取付部材４０を装着する挿入空間３２が形成されている。前記本体部材１２は加工性を考えて、本実施例では分割構造にし、２枚の板状片を組合わせて略Ｌ字形状にしている。前記本体部材１２の上面側には、前記コネクタ取付部材４０の雌ネジ部に対応した位置に後述する押圧ネジ２０が装着される貫通孔と、２枚の前記側壁部材１４をボルト１６にて固定するための取付孔１８とが設けられている。この取付孔１８は上面ではなく、側面側に設けてもよい。前記取付孔１８の形状は楕円（長孔）にすることで、コネクタ６０の芯数違いに対応できるようにしている。前記コネクタ取付部材４０の形状を略コ字形状にしたのは、コネクタ６０を基板８０より取り外す際にコネクタ６０の面Ｂ７２以外に接触しないようにするためである。なお、押圧ネジ２０を締め込む際に、ただ締め込んだのでは、コネクタ取外し工具１自体も回転してしまうことがあるので、図示はしないが、前記本体部材１２の一方の側面側に持ち手を付けた方がよい。持ち手を設けることで、押圧ネジ２０を締め込む際にコネクタ取外し工具１自体が回らないように手で抑えることができる。
【００１５】
次に、押圧ネジ２０について説明する。
この押圧ネジ２０は、前記部材１０の本体部材１２の上面に固定されており、上下方向には、Ｃ形止め輪によってあまり動かないようになっている。前記押圧ネジ２０は、前記コネクタ取付部材４０に螺着さいた際に、ネジ２０の押圧面２２でコネクタ６０の面Ｂ７２を押圧するためのものである。その為、押圧ネジ２０の雄ネジ部２４の長さはネジ２０をコネクタ取付部材４０に螺着した際に、ネジ２０の押圧面２２が嵌入溝４６内に突出するように適宜設計する。
また、前記押圧ネジ２０を締め易くするために、本実施例ではネジ２０に支点２６を基点にして略１８０度回動可能な支柱２８を取付けた。このような支柱２８を取付けることで、簡単に押圧ネジ２０を締め込むことができるようになる。
【００１６】
最後に、コネクタ６０の取外し方について説明する。
第一に、コネクタ取付部材４０の嵌入溝４６に、コネクタ６０が入るようにコネクタ取付部材４０をかぶせる。かぶせた状態で、コネクタ取付部材４０のネジ４４をコネクタ６０の面Ａ７０にネジ４４の押圧面Ａ５０が食込む程度に締め付ける。
第二に、部材１０の挿入空間３２にコネクタ６０の装着された状態のコネクタ取付部材４０入るように部材１０をかぶせる。
第三に、部材１０がかぶせられた状態で、押圧ネジ２０をコネクタ取付部材４０に螺着させ、押圧ネジ２０を締め付けていくと、前記コネクタ取付部材４０は図１のように矢印「イ」方向に引き上げられることになると共にある段階で押圧ネジ２０はコネクタ取付部材４０の嵌入溝４６内に突出し、押圧面２２でコネクタ６０の面Ｂ７２を押圧することになる。このようにコネクタ６０が押圧されると、部材１０の側壁部材１４又は挿入駒は基板８０又はコネクタ６０の面Ｂ７２に接しているので、コネクタ６０は押圧されてはいるが、矢印「イ」方向に引き上げられることになり、結局のところ基板８０よりコンタクト６４が抜けるような状態になる。
【００１７】
なお、図示していない挿入駒について説明しておく。
コネクタ６０は基板８０に搭載されていることは上述の通りですが、コネクタ６０は一般的に複数個隙間なく搭載されている。このような場合に、両サイドのコネクタ６０を取り外す際には、一方側は基板８０と前記側壁部材１４との間に隙間があることになり、該工具１のバランスが悪くなので、その隙間つまり側壁部材１４の凸部３０の下に挿入駒を装着するようにする。
【００１８】
【発明の効果】
本発明は、上述のような構造のコネクタ取外し工具１を提供することで、以下のような顕著な効果を得ることができる。
（１）基板８０を破損することなく、容易にコネクタ６０を取り外すことができ、作業性が良くなる。
（２）基板８０を破損することがないので、基板８０自体を交換する必要がなくなった。
（３）従来の取外し時間から比べると、６０秒程度短縮できた。
【図面の簡単な説明】
【図１】本発明のコネクタ取外し工具の斜視図である。
【図２】基板に取付けた状態のコネクタとコネクタ取付部材と部材の斜視図である。
【図３】コネクタ取付け部材を図２の反対側から見た斜視図である。
【図４】コネクタを基板に取付けた状態の側面図である。
【符号の説明】
１          コネクタ取外し工具
１０        部材
１２        本体部材
１４        側壁部材
１６        ボルト
１８        取付孔
２０        押圧ネジ
２２        押圧面
２４        雄ネジ部
２６        支点
２８        支柱
３０        凸部
３２        挿入空間
４０        コネクタ取付部材
４２        雌ネジ部
４４        ネジ
４６        嵌入溝
４８        突起部
５０        押圧面Ａ
６０        コネクタ
６２        ブロック
６４        コンタクト
６６        コンタクト体
６８        連結具
７０        面Ａ
７２        面Ｂ
８０        基板
【図１】
0004498591.tif 000002
【図２】
0004498591.tif 000003
【図３】
0004498591.tif 000004
【図４】
0004498591.tif 000005